(57)【要約】      （修正有）【課題】ハサミやカッターを用いることなく、所望する部分の剥離紙を容易に手で剥がすことが可能な、各種ポスター、写真、メモ、カタログ等の係止物を係止可能とした糊付きパネルを提供する。【解決手段】発泡スチロール製のパネル本体２と、パネル本体２の一方の面あるいは両面に形成した接着層と、接着層に剥離自在に貼着した剥離紙４と、を具備する。剥離紙４は、一軸延伸フィルムにより構成されるとともに、ミシン目状に目印線５が刻印されている。延伸方向に直交する方向へ裂くことで、所望する剥離紙の部分を容易に手で剥がすことが可能である。目印線は剥離紙に刻印しており剥離紙を貫通していないために、接着層を形成する接着材が剥離紙の表面に滲み出てきてしまうことが無い。【選択図】図１
0003169687.tif 000002
【実用新案登録請求の範囲】
【請求項１】
発泡スチロール製のパネル本体（２）と、
該パネル本体（２）の一方の面あるいは両面に形成した接着層（３）と、
該接着層（３）に剥離自在に貼着した剥離紙（４）と、を具備し、各種ポスター、写真、メモ、カタログ等の係止物を係止可能とした糊付きパネルであって、
前記剥離紙（４）として、一軸延伸フィルムを用いたことを特徴とする糊付きパネル。
【請求項２】
前記剥離紙（４）は、ミシン目状に目印線（５）が刻印されていることを特徴とする請求項１に記載の糊付きパネル。
【考案の詳細な説明】
【技術分野】
【０００１】
本考案は、各種のポスター、写真、メモ、あるいはカタログ等の係止物を係止するために用いられる糊付きのパネルに係り、より詳しくは、剥離紙として一軸延伸フィルムを用いた糊付きパネルに関する。
【背景技術】
【０００２】
従来から、家庭内等において、各種のポスター、写真、メモ等を係止するものとして、あるいは、商品広告の手法等の一つとして、展示会場等で自社製品のカタログ等の係止物を係止するためのものとして、発泡スチロール製の糊付きパネルが用いられている。
【０００３】
ここで、従来から提供されている糊付きパネルについて説明すると、従来の糊付きパネルは、発泡スチロール製のパネル本体を備えており、このパネル本体の一方の面には接着層が形成され、この接着層には、剥離自在に剥離紙が張り合わされている。
【０００４】
そして、このように構成される糊付きパネルにメモ、写真、ポスター等を係止する場合には、メモ、写真、ポスター等を係止する部分の剥離紙をはがしてその部分の接着層を露出させて、この露出させた接着層に、メモ、写真、ポスター等を貼着して、その後に、メモ、写真、ポスター等を貼着した糊付きパネルを、所望する箇所に設置し、これにより、この糊付きパネルを、伝言板、備忘板、写真やポスターの台紙にすることが可能となる。
【０００５】
また、糊付きパネルを展示会場等で自社製品のカタログ等を係止するために用いる場合には、前述と同様にしてカタログ等を糊付きパネルに貼着し、このカタログ等を貼着した糊付きパネルを、目立つ箇所に展示することで、自社商品の広告宣伝を行なうことが可能となる。
【先行技術文献】
【特許文献】
【０００６】
【特許文献１】実公平７−２０６９４号公報
【考案の概要】
【考案が解決しようとする課題】
【０００７】
しかしながら、このように構成される従来の糊付きパネルでは、糊付きパネルの全面に写真、ポスター、カタログ等の係止物を貼着する場合には、剥離紙を全部剥がして接着層のすべてを露出させてから、接着層に係止物を貼着しなければならないために、係止物を貼着する過程において、係止物に皺がよったり、接着層と係止物との間に気泡が入ったりすることなく、係止物を上手に貼ることは困難である。
【０００８】
また、糊付きパネルの一部分に写真、ポスター、メモ等の係止物を貼着する場合には、ハサミやカッター等で、係止物を貼着する箇所の剥離紙を切り取る必要があるが、ハサミやカッターで剥離紙の特定箇所を切り取ることは容易ではなく、また、カッターで剥離紙を切り取った場合には、パネル本体にカッターによるカット線が出来てしまい、係止物を貼着した場合に、このカット線が浮き出てしまい見栄えが悪くなってしまうという問題点が考えられる。
【０００９】
この点、剥離紙に所定間隔にミシン目を入れて、このミシン目に沿って剥離紙を剥がすことを可能にすることで、所望する箇所の剥離紙を容易に剥がすことができるが、このように剥離紙にミシン目を入れた場合には、特に、周囲温度が高い場合や、糊付きパネルの平面部分に強い圧力が加わった場合には、接着層を構成している糊がミシン目を介して剥離紙の表面にはみ出してきてしまうおそれが十分に考えられる。
【００１０】
そこで、本考案は、ハサミやカッターを用いることなく、所望する部分の剥離紙を、手で容易に剥がすことが可能な糊付きパネルを提供することを課題としている。
【課題を解決するための手段】
【００１１】
本考案の糊付きパネルは、
発泡スチロール製のパネル本体と、
該パネル本体の一方の面あるいは両面に形成した接着層と、
該接着層に剥離自在に貼着した剥離紙と、を具備し、各種ポスター、写真、メモ、カタログ等の係止物を係止可能とした糊付きパネルであって、
前記剥離紙として、一軸延伸フィルムを用いたことを特徴としている。
【考案の効果】
【００１２】
周知のように、一軸延伸フィルムとは、フィルムの成形工程の中で、流れ方向（縦）または、幅方向（横）の１方向に引き伸ばしたフィルムであり、延伸方向の強度が大きい一方、延伸方向に直交する方向の易引裂性が高いことを特徴としている。
【００１３】
そのため、この一軸延伸フィルムを剥離紙として用いた本考案の糊付きパネルでは、ハサミやカッターを用いることなく、所望する部分を手で容易に剥がすことが可能である。
【図面の簡単な説明】
【００１４】
【図１】本考案の糊付きパネルの実施例の斜視図である。
【図２】本考案の糊付きパネルの実施例の構造を示す断面図である。
【図３】本考案の糊付きパネルの実施例の使用方法を説明するための図である。
【図４】本考案の糊付きパネルの実施例の使用方法を説明するための図である。
【考案を実施するための形態】
【００１５】
本考案の糊付きパネルでは、発泡スチロール製のパネル本体を備えており、このパネル本体の表面、あるいは表面及び裏面の双方の面には、接着剤により構成される接着層が形成されている。
【００１６】
また、接着層の全面には、接着層を覆う配置で、剥離紙が、剥離自在に貼着されており、これにより、剥離紙を剥がして接着層を露出させることで、この接着層に、各種のポスター、写真、メモ、カタログ等の係止物を貼着することが可能である。
【００１７】
そして、前記剥離紙として、本考案では、一軸延伸フィルムを用いており、これにより、ハサミやカッターを用いることなく、所望する箇所の剥離紙を、手で容易に剥がすことを可能にしている。
【００１８】
ここで、前記剥離紙に、ミシン目状に目印線を刻印するとよく、これにより、更に容易に、所望する箇所の剥離紙を手で剥がすことが可能になる。
【実施例１】
【００１９】
本考案の糊付きパネルの実施例について図面を参照して説明すると、図１は、本実施例の糊付きパネルを示す斜視図、図２は本実施例の糊付きパネルの構造を示す断面図であり、図において１が本実施例の糊付きパネルである。
【００２０】
そして、本実施例の糊付きパネル１は、全体として縦長の四角形状の板状とした、厚みを有するパネル本体を備えている。即ち、図において２がパネル本体であり、本実施例においてこのパネル本体２は、一定の厚みを有した発泡スチロール製としている。
【００２１】
次に、図２において３は、接着層である。即ち、本実施例においては、前記パネル本体２の表面の全域に、接着剤を乗せて、これにより、前記パネル本体２の表面の全域に接着層３を形成している。
【００２２】
なお、前記接着層３は、必ずしも前記パネル本体２の表面にのみ形成する必要はなく、表面と裏面の双方に形成しても良い。
【００２３】
次に、図において４は剥離紙である。即ち、本実施例の糊付きパネル１では、前記接着層３に剥離紙４を重ね合わせるとともに、この剥離紙４を剥離自在としており、これにより、所望する箇所の剥離紙４を剥がすことで、その部分にのみ写真、ポスター、メモ、カタログ等の係止物を貼着可能としている。
【００２４】
ここで、本実施例における前記剥離紙４について説明すると、本実施例において前記剥離紙４は、一軸延伸フィルムにより構成している。即ち、前述したように、一軸延伸フィルムは、フィルムの成形工程の中で、流れ方向（縦）、または、幅方向（横）の１方向に引き伸ばしたフィルムであり、延伸方向の強度が大きい一方、延伸方向に直交する方向の易引裂性が高いことを特徴としている。
【００２５】
そこで、本考案者は、一軸延伸フィルムのこの特性に着目し、この一軸延伸フィルムを剥離紙として用いることにした。そのため、この一軸延伸フィルムを剥離紙として用いた本考案の糊付きパネルでは、延伸方向に直交する方向に所定幅で剥離紙を剥がす場合には、特にハサミやカッターを用いることなく、手で容易に剥離紙を裂くことが可能である。
【００２６】
なお、本実施例の糊付きパネル１における前記剥離紙４では、糊付きパネル１の長手方向が、一軸延伸フィルムの延伸方向に直交する方向になるようにしており、従って、剥離紙４は、長手方向に易引裂性を有している。そのため、糊付きパネル１の長手方向へ向けて剥離紙を剥がすことを容易としているとともに、剥離紙４を糊付きパネル１の長手方向に所定幅で剥離紙を剥がす場合には、必ずしも、剥離紙を、パネルの幅方向の端部分から裂いていく必要はなく、幅方向に見た中央部分のみを、容易に裂いて剥がすことも可能としている。
【００２７】
但し、必ずしもこのような配置で剥離紙４を具備する必要はなく、糊付きパネル１の長手方向が、一軸延伸フィルムの延伸方向になるようにし、剥離紙４の幅方向に易引裂性を有するようにしてもよい。
【００２８】
次に、図１において５は目印線である。即ち、本実施例の糊付きパネル１では、前記剥離紙４に格子状にミシン目状の目印線を刻印しており、これにより、剥離紙４を剥がす際の目印としている。
【００２９】
前述したように、剥離紙４の所望する箇所を剥がす場合に、所望する箇所を正確に剥がすためには、剥離紙４に所定間隔にミシン目を入れて、このミシン目に沿って剥離紙を剥がすことを可能にすることで、所望する箇所の剥離紙を容易に剥がすことができるが、ミシン目を入れてしまうと、接着層３を構成している糊がミシン目を介して剥離紙４の表面にはみ出してきてしまうおそれが十分に考えられる。
【００３０】
その一方、何らの目安も無い場合には、例えば定規によって寸法を測りながら剥離紙４を剥がさなければならず煩わしさに耐えない。
【００３１】
そこで、本実施例の糊付きパネル１では、前記剥離紙４にミシン目状の目印線を刻印することとし、これによって剥離紙４を剥がす際の目安を具備した。
【００３２】
そのために、本実施例においては、定規を用いること無く剥離紙４を剥がすことができるとともに、本実施例において前記目印線５は、刻印することのみで形成しており、従って、剥離紙４にミシン目状に凹部を形成することで構成しており、剥離紙４を貫通していないために、剥離紙４を剥がす際の目安にすることができるとともに、接着層３を構成している糊が剥離紙４の表面にはみ出してきてしまうことも防止可能である。
【００３３】
従って、本実施例の糊付きパネル１では、一軸延伸フィルムを用いていることとも相俟って、特に剥離紙４の一部分を剥がす際には、定規を用いること無く、手によって正確に剥がすことが可能である。
【００３４】
また、本実施例の糊付きパネル１では、ハサミやカッターを用いることなく、所望する部分の剥離紙を容易に剥がすことが可能であるため、カッターを用いて剥離紙を剥がした場合と異なって、カット線が出来てしまい、貼着物を貼着した場合に、このカット線が浮き出てしまい見栄えが悪くなってしまうという問題点が生じることも無い。
【００３５】
次に、このように構成される本実施例の糊付きパネル１の使用方法について図３を参照して説明すると、図３は、ポスター６を糊付きパネル１の一部分に貼着する場合の工程について示している。
【００３６】
即ち、本実施例の糊付きパネル１の一部分にポスター６等の係止物を貼着する場合には、図３に示すように、第１の工程で、貼着する箇所の剥離紙４を剥がして、その箇所の接着層３を露出させる。
【００３７】
そして、次に、剥がした剥離紙４の基端部分をハサミ等で切り取るとともに、露出させた接着層３に、ポスター６を貼着し、これによって、糊付きパネル１にポスター６を係止することが可能となる。
【００３８】
そしてこのとき、本実施例の糊付きパネル１では、剥離紙４として一軸延伸フィルムを使用しており、更に、剥離紙４には目印線５を刻印しているために、カッターを使用することなく、剥離紙４の所望する箇所を、手で容易に裂いていくことが可能である。
【００３９】
また、前記目印線５は、ミシン目状に剥離紙４に刻印して形成しており、剥離紙４を貫通していないために、接着層３の接着剤が剥離紙４の表面に出てきてしまうことが無い。
【００４０】
次に、本実施例の糊付きパネル１の全面にポスター等６、７を貼着する場合について図４を参照して説明すると、かかる場合には、例えば、幅方向の中央部分近傍において、剥離紙４を、長手方向に沿って数センチ程度の幅で剥がして、この部分の接着層３を露出させる。
【００４１】
そしてその後に、ポスター６、７の裏面の一部分を露出させた接着層３に仮接着させながら、剥離紙４上にポスター６、７を重ね合わせて、ポスター６、７の位置を固定する。
【００４２】
そしてその後は、接着層を露出させた箇所から外側に順に、数センチ程度ずつの幅で、剥離紙４を裂きながら剥がして、剥離紙４を剥がした部分の接着層を露出させるとともに、この露出させた接着層３にポスター６、７の裏面を接着させていき、この作業を、すべての剥離紙４を剥がしてポスター６、７の裏面全域を接着層３に接着させるまで継続する。そうすると、ポスター６、７に皺がよることがなく、またポスター６、７と接着層３との間に気泡が入ることも無く、ポスター６，７を貼着させることが可能である。
【００４３】
このように、本実施例の糊付きパネル１では、剥離紙として、延伸方向に直交する方向の易引裂性が高い特徴を有する一軸延伸フィルムを用いているため、ハサミやカッターを用いることなく、所望する剥離紙の部分を手で容易に剥がすことが可能である。
【００４４】
また、本実施例の糊付きパネル１では、前記剥離紙４にミシン目状の目印線５を刻印しているために、所望する箇所の剥離紙を容易に剥がすことが可能であるとともに、前記目印線５は、剥離紙４に刻印して形成しているのみで、剥離紙４を貫通していないために、接着層３の接着剤が剥離紙４の表面に出てきてしまうことが無い。
【産業上の利用可能性】
【００４５】
本考案の糊付きパネルでは、剥離紙を手で容易に剥がすことを可能としているために、接着層と、この接着層に重ね合わせて配設した剥離紙を有する糊付きのパネルの全般に適用可能である。
【符号の説明】
【００４６】
１    糊付きパネル
２    パネル本体
３    接着層
４    剥離紙
５    目印線
６、７    ポスター
【図１】
0003169687.tif 000003
【図２】
0003169687.tif 000004
【図３】
0003169687.tif 000005
【図４】
0003169687.tif 000006